(57)【要約】      （修正有）【課題】腹巻で上半身を覆うことで、上衣を着用する必要のない腹巻キャミソールを提供する。【解決手段】この腹巻キャミソール１０は、腹部において腹巻として機能するように伸縮性をもって胴回りを覆う筒状の本体部１と、本体部を肩にかけて吊るす左右一対の肩紐２ａ、２ｂとを備え、本体部は、使用者の乳房上端から太ももに達する長さを有し、肩紐は、本体部上端の前後をそれぞれ連結し、使用者の肩に掛けて使用することで、腹巻キャミソール単独で上衣として着用できるようにし、肩紐の本体部前面上端の取り付け位置を使用者の乳房基底部の外側端の上部、本体部背面上端の取り付け位置を使用者の肩甲骨下端部付近とすることで、使用者が着用したままで授乳を容易に行える機能を提供する。【選択図】図６
2018062717.tif 000002
【特許請求の範囲】
【請求項１】
腹部において腹巻として機能するように伸縮性をもって胴回りを覆う筒状の本体部と、本体部を肩にかけて吊るす左右一対の肩紐とを有し、着用時において、前記本体部は、上端が使用者の乳房基底部上端にあって、下端が太ももに達する長さを有し、前記一対の肩紐は、前記本体部上端の前後をそれぞれ連結し、使用者の肩に掛けて使用することを可能とすることを特徴とする腹巻キャミソール。
【請求項２】
前記一対の肩紐の本体部前面上端の取り付け位置を使用者の乳房基底部の外側端の上部、前記本体部背面上端の取り付け位置を使用者の肩甲骨下端部付近とすることで、使用者が着用したままで授乳を容易にできるようにしたことを特徴とする請求項１記載の腹巻キャミソール。
【請求項３】
本体部の上端から下方に伸びるようにファスナー、面ファスナー、紐もしくはフックを単一又は組み合わせて設けており、容易に脱ぎ着できる請求項１、または、請求項２に記載の腹巻キャミソール。
【請求項４】
本体部に、生活上必要な携帯・ティッシュ等の小物を入れるポケットを具備したことを特徴とする請求項１、２か３のいずれかに記載の腹巻キャミソール。
【発明の詳細な説明】
【技術分野】
【０００１】
本発明は、腹部に装着して使用する腹巻に係り、より詳細には、上着を装着せずとも、腹巻単独で普段の生活ができる腹巻キャミソールに関する。
【背景技術】
【０００２】
腹巻は、冷え性防止等の目的で、腹部を冷めないようにするため着用されるものであり、毛糸や編地で、腹部を覆う大きさの短筒状に形成されている。特に、妊婦は、腹部の冷えは避けるべきとして、腹巻を使用することが勧められていて、各種腹巻きが実用化されている。また、腹巻に関連する発明も種々提案されている。
【０００３】
例えば、特許文献１では、伸縮性に富み、薄くて優れた保温性を有し、軽くて肌触りが良い素材を使用し、着脱が容易な腹巻きが記載されている。また、特許文献２では、着脱を容易にするために、たて方向にファスナー、面ファスナー、紐もしくはフック等を単一又は組み合わせて設けた腹巻が記載されている。また、特許文献３では、腹巻とショーツが別個だと、着用中自然に腹巻がずり上りショーツとの間に隙間を生じる結果、腹部を冷やしてしまい、所期の効果を得ることができないため、腹巻とショーツを一体とした腹巻付ショーツが記載されている。  
【先行技術文献】
【特許文献】
【０００４】
【特許文献１】特開２００３−１７１８０４公報
【特許文献２】特開２００４-２０４４１５号公報
【特許文献３】実開平７−９９０４号公報
【発明の概要】
【発明が解決しようとする課題】
【０００５】
実用化されている腹巻や、特許文献で記載された腹巻は、装着者の腹部を覆う構造となっているため、着用時には、腹巻単独での使用はできず、腹巻で覆っていない着用者の上半身を覆う上衣を着用せざるを得ない。
【０００６】
特に、妊産婦では、胎児環境をよりよく継続維持する為、腹部を外的ショックから守り、腰痛の緩和や冷え予防、保温目的のために  腹巻を常時着用することが慣習的にも行われている。妊娠出産により、リラキシンホルモンの影響をうけ、生理的に骨盤が緩むことから腰痛や骨盤輪不安定症候群、切迫流早産、子宮頸管長短縮などの症状が出現するケースも多く、その対策として、骨盤ベルトを着用する際にも腹巻は必須である。
【０００７】
日常において、衣服の外観も重要なポイントでもあり、腹巻単独使用での生活はできず、上衣を腹巻と重ねて着る必要があり、授乳時には母子密着し、夏など気温の高い時期では、さらに暑く快適さが損なわれるという課題があった。
【課題を解決するための手段】
【０００８】
本願発明は、上記の問題を解決するため発明されたもので、腹巻で上半身を覆うことで、上衣を着用する必要のない腹巻キャミソールを提供することを目的とするものである。
【発明の効果】
【０００９】
本発明の請求項１記載の腹巻キャミソールは、腹巻で上半身を覆い、肩紐で腹巻本体の上端部を胸の位置に維持することで、上衣を着用することなく、腹巻だけで生活できるという利点がある。
【００１０】
また、請求項２に記載の腹巻キャミソールは、請求項１記載の上衣を不要とする利点に加え、肩紐の前面腹巻本体との接合部分を乳房基底部の左右外側とすることで、授乳する際に、使用者が着用したままで乳房を露出、容易に授乳姿勢を取ることができるという利点がある。
【００１１】
また、請求項３に記載の腹巻キャミソールは、請求項１、または、請求項２記載の利点に加え、ファスナー、面ファスナー、紐もしくはフックで腹巻本体を左右に分割するすることで、容易かつ速やかに着脱できるという利点がある。
【００１２】
また、請求項４に記載の腹巻キャミソールは、請求項１、２、３に記載の利点に加え、腹巻本体にポケット等小物入れを具備することで、上衣と同等の利便性を有するという利点がある。
【図面の簡単な説明】
【００１３】
【図１】本発明の実施の請求項１に係る腹巻キャミソールの概略正面図と概略背面図である。
【図２】図１の腹巻キャミソールを着用したときの状態を説明するための正面図と背面図である。
【図３】本発明の実施の請求項１の図２とは異なる構成例を説明した図である。
【図４】図２とは異なる着用例を説明するための図である。
【図５】本発明の実施の請求項２に係る腹巻キャミソールの概略正面図と概略背面図である。
【図６】図５の腹巻キャミソールを着用したときの状態を説明するための正面図と背面図である。
【図７】図５の腹巻キャミソールを着用した授乳方法を説明するための図である。
【図８】本発明の実施の請求項３に係る腹巻キャミソールの概略正面図の一例である。
【図９】図８の腹巻キャミソールを着用したときの状態を説明するための正面図である。
【図１０】本発明の実施の請求項３の図８とは異なる構成例を説明するための図である。
【図１１】本発明の実施の請求項４に係る腹巻キャミソールの概略正面図の一例である。
【図１２】図１１の腹巻キャミソールを着用したときの状態を説明するための正面図である。
【発明を実施するための形態】
【００１４】
以下、本発明の実施の形態に係る腹巻１０を、図面に基づき詳しく説明する。
図１(a)に、請求項１の実施形態に係る腹巻１０の概略正面図を、図１(b)に、その背面図を、それぞれ示す。
なお、この腹巻１０を構成する、本体部１、肩紐２には、正面側（腹側）を示すＦ（Ｆｒｏｎｔ）および背面側（背中側）を示すＢ（Ｂａｃｋ）を添えている。
【００１５】
この腹巻１０の本体部１は、通常の腹巻類のように腹部を被覆するだけでなく、使用者の胸部から、太もも付近までを被覆する長さを有する。
特徴的であるのは、（１）本体部１が、使用者が着用した場合において、使用者の乳房基底部上端から太ももまでに達する長さを備えている点と、（２）腹巻１０の本体部１が使用者の胴体からずり落ちないように左右１対の肩紐を備えている点とである。
【００１６】
この腹巻１０は、たとえば、筒状に編成された編地を用いて製造される。
【００１７】
この腹巻１０の編み糸は特に限定されるものではなく、編み組織も特に限定されるものではなく、 一般の腹巻の編み糸と同等である。
【００１８】
この腹巻１０を使用者が着用した正面図を図２（ａ）、背面図を図２(b)に示す。
図２に示すように、使用者がこの腹巻１０を着用した場合において、腹巻１０の本体部１の上端が使用者の胸部を覆う高さに調整できるような肩紐２ａ、２ｂを備えている。
【００１９】
なお、肩紐２ａ、２ｂは、この腹巻１０の本体部１の上端が使用者の胸部を覆う高さに調整できればよく、一つの方法に限定されるものではない。構成例としては、図２(b)の肩紐２ａ（Ｂ）、２ｂ（Ｂ）の長さを調整するか、図３のように、肩紐なしで、本体１を伸縮性の素材として、本体１の伸縮性を利用し、胸部の高さに調整する方法等が考えられる。
【００２０】
以上のような構成を備える請求項１の腹巻１０の着用方法について説明する。使用者は、この腹巻１０を通常の腹巻と同じように着用する。その後、使用者は、本体部１を胸近くまでたくし上げる。その後、本体部が安定して胸を覆うように肩紐の長さを調整する。
【００２１】
着用方法としては、腹部から胸部にたくし上げる方法だけでなく、胸部位置を定めて、腹部、脚部に伸ばして着用する方法でもよい。
【００２２】
図２、図３では、腹巻１０の本体部１で太ももまで覆う着用方法を示したが、図４の本体１１(F)で示したとおり、太もも部分の本体部を折り返し、通常の腹巻のように腹部で重ねて着用しても良い。
【００２３】
図５(a)に、請求項２の実施形態に係る腹巻１０の概略正面図を、 図５(b)に、その背面図を、それぞれ示す。
なお、この腹巻１０を構成する、本体部１、肩紐２には、  正面側（腹側）を示すＦ（Ｆｒｏｎｔ）および背面側（背中側）を示すＢ（Ｂａｃｋ）を添えている。
【００２４】
請求項２の腹巻１０の本体部１は、請求項１の腹巻と形状は同じで、使用者の乳房基底部上端から太ももに達する長さを有する。
特徴的であるのは、請求項１の特徴と同じく、（１）使用者が着用した場合において、腹巻１０が  使用者の乳房基底部上端から太ももに達する長さの本体部１を備えている点、（２）腹巻１０の本体部が使用者の胴体からずり落ちないように肩紐２ａ、２ｂを備えている点に加えて、（３）授乳時に授乳の邪魔にならないように、使用者の乳房の基底部の左右外側の上部位置で、肩紐２ａ（F)、２ｂ（F)を本体１に止め付けたことと、肩紐がずり落ちないため、肩紐２ａ（Ｂ）、２ｂ（Ｂ）の本体との止め付け位置を、２ａ（F)、２ｂ（F)の本体止め付け位置より内側にした点である。
【００２５】
肩紐の取り付け位置以外については、請求項１と同じため、ここでは、請求項１と異なる点を記載する。
【００２６】
この腹巻１０を使用者が着用した正面図を図６(a)、背面図を図６(b)に示す。
図６に示すように、請求項１の肩紐２ａ、２ｂと同様、使用者がこの腹巻１０を着用した場合において、腹巻１０の本体部１の上端が使用者の胸部を覆う高さに調整できるような肩紐２ａ、２ｂを備えている。
また、肩紐２ａ、２ｂは、図６(a)で示した通り、授乳者の乳房の基底部外側位置の上部で本体部１を吊るす。これにより、授乳時には、肩紐に邪魔されることなく、乳頭部、乳房を露出することができる。加えて、肩紐が使用者の肩からずり落ちることを防ぐため、図６（ｂ）に示す通り、使用者の肩甲骨部付近で、本体部の背面を吊るす。
【００２７】
以上のような構成を備える請求項２の腹巻１０の着用方法は、請求項１と同様である。
【００２８】
以上のような構成を備える請求項２の腹巻１０の授乳時における使用方法を図７で説明する。図に示した通り、授乳に供する乳房側の本体１の上部端１２（Ｆ）を下げることで、授乳する乳頭部、乳房を露出し、授乳を完了すれば、上部端１２（Ｆ）を元の高さに戻す。
【００２９】
図８に、請求項３の実施形態に係る腹巻１０の概略正面図を示す。図８は、請求項２の本体１を使用した図であるが、請求項１の本体１に対しても、同様の図となる。
【００３０】
請求項３の腹巻１０の本体部１は、請求項１、または、請求項２の腹巻と形状は同じで、使用者の胸部から、太もも付近までを被覆する長さを有する。
特徴的であるのは、請求項１、または、請求項２の特徴と同じく、（１）使用者が着用した場合において、腹巻１０が  使用者の乳房基底部上端から太ももに達する長さの本体部１を備えている点、（２）腹巻１０の本体部が使用者の胴体からずり落ちないように肩紐を備えている点に加えて、（３）本体部１０の着脱を容易にするように筒状の本体に上端から下端までを、たて方向にファスナー、面ファスナー、紐もしくはフックを単一又は組み合わせた分離部３を備えている点である。
【００３１】
分離部３以外については、請求項１、または、請求項２と同じため、ここでは、請求項１、または、請求項２と異なる点を記載する。
【００３２】
この請求項３の腹巻１０を使用者が着用した正面図を図９に示す。
【００３３】
以上のような構成を備える請求項３の形態に係る腹巻１０の着用方法について説明する。 使用者は、この腹巻１０の本体１を分離部３で、腹巻を左右に分割、使用者の胴体に本体部１を巻き付けた後、分離部３で本体部１を結合することにより、本体部１を筒状に戻して着用する。着脱時は、分離部にて腹巻を分割することで、着脱する。
【００３４】
図９では、分離部３は、腹巻１０の本体部１を左右に分離する方法を示したが、使用者が着脱しやすい範囲で腹巻１０の本体部１が左右に広がればよいので、分離部３は、図１０に示した通り、本体部１の途中までで左右に開く形状でも良い。
【００３５】
図１１に、請求項４の実施形態に係る腹巻１０の概略正面図を示す。図１１は、請求項２の本体１を使用した図であるが、請求項１、または、請求項３の本体１に対しても、同様の図となる。
【００３６】
請求項４の腹巻１０の本体部１は、請求項１、２、または、３の腹巻と形状は同じで、使用者の胸部から、太もも付近までを被覆する長さを有する。
特徴的であるのは、請求項１、２、または、３の特徴と同じく、（１）使用者が着用した場合において、腹巻１０が  使用者の乳房基底部上端から太ももに達する長さの本体部１を備えている点、（２）腹巻１０の本体部が使用者の胴体からずり落ちないように肩紐を備えている点に加えて、（３）本体部１０に小物を入れることができるポケット４を備えている点である。
【００３７】
ポケット４以外については、請求項１、２、または、３と同じため、ここでは、請求項１、２、または、３と異なる点を記載する。
【００３８】
この請求項４の腹巻１０を使用者が着用した正面図を図１２に示す。
図１２に示す通り、使用者は、本請求項４の腹巻１０だけで、生活に欠かせない小物類を、手をふさぐことなく、持ち歩くことができ、不自由さを回避できる。
また、妊産婦など腹部の保温用カイロを入れることも可能である。
【００３９】
請求項４の腹巻１０の着用方法は、請求項１、２または３と同じである。
【符号の説明】
【００４０】
１  本体部
２  肩紐
３  分離部
４  ポケット
１０  腹巻キャミソール
【図１】
2018062717.tif 000003
【図２】
2018062717.tif 000004
【図３】
2018062717.tif 000005
【図４】
2018062717.tif 000006
【図５】
2018062717.tif 000007
【図６】
2018062717.tif 000008
【図７】
2018062717.tif 000009
【図８】
2018062717.tif 000010
【図９】
2018062717.tif 000011
【図１０】
2018062717.tif 000012
【図１１】
2018062717.tif 000013
【図１２】
2018062717.tif 000014